(57)【要約】【課題】  照明装置のまぶしさにより夜間の使用者を覚醒させることなくトイレ室内を照らすとともに、便器横のトイレ室壁面に設置されるリモコン装置の操作性を高める。【解決手段】  使用者がトイレ室１０に入室すると第１の人体検知センサ７がこれを検知し、照明装置６が中レベルの光量で点灯する。中レベルの光量は、衛生洗浄装置１の前に立つ使用者が照明装置６を目にしてもまぶしさを感じない程度の光量である。使用者が便座４に着座すると着座検知センサ９がこれを検知し、照明装置６が高レベルの光量で点灯する。高レベルの光量は、着座した人が便器２横のトイレ室１０の壁面に設置されるリモコン装置２０の操作ボタン２１を認識できる程度の光量である。照明装置６と着座した使用者との間の広い空間により、リモコン装置２０が照らされる。照明装置６が着座した使用者の背後に位置するので、使用者はまぶしく感じることはない。【選択図】      図１
2007321387.tif 000002
【特許請求の範囲】
【請求項１】
電装品を内蔵するケーシングと、
該ケーシングに設けられた便座回転軸と、
前記ケーシングに設けられ、前記便座回転軸の後方に位置する便蓋回転軸と、
前記便座回転軸に軸支された便座と、
前記便蓋回転軸に軸支された便蓋と、
前記ケーシングの上部で、前記便座回転軸と前記便蓋回転軸の間に設けられ、上向きに投光する照明装置と、
前記便座への着座を検知する着座検知センサと、
該着座検知センサにより便座への着座が検知されたときに、前記照明装置の光量を大きくする制御手段と、を備えることを特徴とする衛生洗浄装置。
【請求項２】
電装品を内蔵するケーシングと、
該ケーシングに設けられた便座回転軸と、
前記ケーシングに設けられ、該便座回転軸から後方に位置する便蓋回転軸と、
前記便座回転軸に軸支された便座と、
前記便蓋回転軸に軸支された便蓋と、
前記ケーシング上部で、前記便蓋回転軸の近傍に設けられ、上向きに投光する照明装置と、
前記便座への着座を検知する着座検知センサと、
該着座検知センサにより便座への着座が検知されたときに、前記照明装置の光量を大きくする制御手段と、を備えることを特徴とする衛生洗浄装置。
【請求項３】
衛生洗浄装置の前方近傍にいる人を検知する人体検知センサをさらに備え、
前記制御手段は、前記人体検知センサにより衛生洗浄装置の前方近傍にいる人が検知されたときに、前記照明装置を点灯させることを特徴とする請求項１または２記載の衛生洗浄装置。
【請求項４】
衛生洗浄装置が設置されているトイレ室に入室した人を検知する人体検知センサをさらに備え、
前記制御手段は、前記人体検知センサによりトイレ室に入室した人が検知されたときに、前記照明装置を点灯させることを特徴とする請求項１または２記載の衛生洗浄装置。
【請求項５】
前記照明装置は、開放された前記便蓋の裏面で反射されるように投光することを特徴とする請求項１から４のいずれかに記載の衛生洗浄装置。
【請求項６】
前記照明装置は、前記ケーシングの左右方向の略中央部に設けられていることを特徴とする請求項１から５のいずれかに記載の衛生洗浄装置。
【発明の詳細な説明】
【技術分野】
【０００１】
本発明は、照明装置を有する衛生洗浄装置に関する。詳しくは、夜間のトイレの使用者にまぶしさを与えず、リモコン装置の操作性を向上させる照明装置を有する衛生洗浄装置に関する。
【背景技術】
【０００２】
従来の衛生洗浄装置では、衛生洗浄装置の左側の袖部上部に赤外線等による人体検知センサが設置され、袖部の前面側には、便器の正面手前側の床面を照明するための足下照明器具が設置されていた。また、便鉢の前面側の中央部では、便鉢内を照明するための便鉢内照明器具が設置され、操作パネルの内部には、操作パネルの各スイッチ類を内面側から点灯表示するための操作スイッチ透過照明器具が設置されていた。
【０００３】
この従来の衛生洗浄装置では、使用者が暗いトイレ室内へ入り、便器の正面手前側付近へ位置すると、これを人体検知センサが検知し、足下照明器具と操作スイッチ透過照明器具が点灯する。これにより、使用者の足下が照明されるとともに、操作スイッチパネルの機能を認識することができる。また、使用者が小便をするために、便蓋および便座を開放すると、足下照明器具と操作スイッチ透過照明器具と便鉢内照明器具とが点灯する。これにより、便鉢内を認識でき、小便を正確に行うことができるようになっている。そして、使用後、便器の正面手前側付近から使用者が立ち去ると、これを人体検知センサが検知し、全ての照明装置が消灯するものであった（特許文献１）。
【０００４】
このように、従来の衛生洗浄装置は、使用者は、暗がりの中であっても、照明によって便器や便座の位置を確認することができるというものであった。
【０００５】
【特許文献１】特開平８−２８４２３２号公報
【発明の開示】
【発明が解決しようとする課題】
【０００６】
従来の衛生洗浄装置では、便器の正面手前側付近に位置すると、自動的に足下照明器具が点灯し、また使用者が小便するときには、自動的に足下照明器具と便鉢内照明器具とが点灯するので、使用者が夜中にトイレ室を利用するときでも、この照明が原因で覚醒することがないと思われるが（光量が小さい場合）、これらの照明はいずれも、特定の部位のみを照らす照明であるので、トイレの使用のための照明としては機能を十分果たすことができなかった。すなわち、使用者がリモコン装置を操作することにより局所洗浄（肛門洗浄やビデ洗浄）などを行う場合、リモコン装置が便器横のトイレ室の壁面（左右いずれかの壁面）に設置されていることから、従来の衛生洗浄装置の照明装置では、リモコン装置の操作スイッチが見づらいがため、操作することが困難であるという問題があった。
また、この問題を解消するために、たとえば、従来の衛生洗浄装置の足下照明器具の光量を増大させることも考えられる。しかしながら、この足下照明器具の光量を増大させると、使用者が夜中にトイレ室を利用するときに、この照明が原因で覚醒してしまうという問題がさらに生ずる。
【０００７】
本発明は上記問題点に鑑みてなされたもので、夜中にトイレ室を利用する場合でも、使用者に覚醒を促すことがなく、また、便器横のトイレ室の壁面（左右いずれかの壁面）に設置されているリモコン装置の操作ボタンを確実に操作することができる衛生洗浄装置を提供することを目的とする。
【課題を解決するための手段】
【０００８】
上記課題を解決し上記目的を達成するために、本発明のうち第１の態様に係るものは、衛生洗浄装置であって、電装品を内蔵するケーシングと、ケーシングに設けられた便座回転軸と、ケーシングに設けられ、便座回転軸の後方に位置する便蓋回転軸と、便座回転軸に軸支された便座と、便蓋回転軸に軸支された便蓋と、ケーシングの上部で、便座回転軸と便蓋回転軸の間に設けられ、上向きに投光する照明装置と、便座への着座を検知する着座検知センサと、着座検知センサにより便座への着座が検知されたときに、照明装置の光量を大きくする制御手段と、を備えることを特徴とするものである。
【０００９】
この構成によれば、ケーシング上部で、便座回転軸と便蓋回転軸の間に照明装置が設けられ、着座検知センサにより便座への着座が検知されたときに、その照明装置の光量が大きくされるので、その光量が大きくなった照明装置の光により、使用者は、着座しているときに、便器横のトイレ室壁面に設置されているリモコン装置の操作ボタンを認識でき、確実に操作ボタンを操作することができる。すなわち、ケーシングの前後に離れた位置に便座回転軸と便蓋回転軸がそれぞれ設けられ、その便座回転軸と便蓋回転軸の間に照明装置が設けられているので、着座した使用者の背面と便蓋との間に空間が確保される。このため、照明装置は、着座した使用者の背面と便蓋との間に確保された空間を利用して、便器横のトイレ室壁面を照らすことができる。しかも、着座検知センサにより便座への着座が検知されたときには、照明装置の光量が大きくされるので、使用者は、着座しているときに、便器横のトイレ室壁面に設置されているリモコン装置の操作ボタンを認識でき、確実に操作ボタンを操作することができる。
【００１０】
また、使用者が便座に着座しているときには、照明装置が便座に着座している使用者の背後に位置することとなるので、照明装置の光量を大きくしたとしても、照明装置の光が直接目に入ることなく、使用者は覚醒することもない。
【００１１】
さらに、着座検知センサにより便座への着座が検知されていないときには、照明装置の光量を大きくしていないので、たとえば、夜間トイレ室に入室したときや、男子小用時に衛生洗浄装置の前に立ったときでも、まぶしさを感じず、夜間に覚醒してしまうということもない。
【００１２】
以上のように、この構成によれば、夜中にトイレ室を利用する場合でも、使用者に覚醒を促すことがなく、また、便器横のトイレ室の壁面（左右いずれかの壁面）に設置されているリモコン装置の操作ボタンを確実に操作することができるとともに、その照明装置を一つの照明装置により実現することができる。
【００１３】
本発明のうち第２の態様に係るものは、衛生洗浄装置であって、電装品を内蔵するケーシングと、このケーシングに設けられた便座回転軸と、ケーシングに設けられ、便座回転軸の後方に位置する便蓋回転軸と、便座回転軸に軸支された便座と、便蓋回転軸に軸支された便蓋と、ケーシング上部で、便蓋回転軸の近傍に設けられ、上向きに投光する照明装置と、便座への着座を検知する着座検知センサと、該着座検知センサにより便座への着座が検知されたときに、照明装置の光量を大きくする制御手段と、を備えることを特徴とするものである。
【００１４】
この構成によれば、ケーシング上部で、便蓋回転軸の近傍に照明装置が設けられ、着座検知センサにより便座への着座が検知されたときに、その照明装置の光量が大きくされるので、その光量が大きくなった照明装置の光により、使用者は、着座しているときに、便器横のトイレ室壁面に設置されているリモコン装置の操作ボタンを認識でき、確実に操作ボタンを操作することができる。すなわち、ケーシングの前後に離れた位置に便座回転軸と便蓋回転軸がそれぞれ設けられ、その便蓋回転軸の近傍に照明装置が設けられているので、着座した使用者の背面と照明装置との間に空間が確保される。このため、照明装置は、着座した使用者の背面と照明装置との間に確保された空間を利用して、より前方の便器横のトイレ室壁面を照らすことができる。しかも、着座検知センサにより便座への着座が検知されたときには、照明装置の光量が大きくされるので、使用者は、着座しているときに、便器横のトイレ室壁面に設置されているリモコン装置の操作ボタンを認識でき、確実に操作ボタンを操作することができる。
【００１５】
また、使用者が便座に着座しているときには、照明装置が便座に着座している使用者の背後に位置することとなるので、照明装置の光量を大きくしたとしても、照明装置の光が直接目に入ることなく、使用者は覚醒することもない。
【００１６】
さらに、着座検知センサにより便座への着座が検知されていないときには、照明装置の光量を大きくしていないので、たとえば、夜間トイレ室に入室したときや、男子小用時に衛生洗浄装置の前に立ったときでも、まぶしさを感じず、夜間に覚醒してしまうということもない。
【００１７】
以上のように、この構成によれば、夜中にトイレ室を利用する場合でも、使用者に覚醒を促すことがなく、また、便器横のトイレ室の壁面（左右いずれかの壁面）に設置されているリモコン装置の操作ボタンを確実に操作することができるとともに、その照明装置を一つの照明装置により実現することができる。
【００１８】
本発明のうち第３の態様に係るものは、第１または第２の態様に係る衛生洗浄装置であって、衛生洗浄装置の前方近傍にいる人を検知する人体検知センサをさらに備え、制御手段は、人体検知センサにより衛生洗浄装置の前方近傍にいる人が検知されたときに、照明装置を点灯させることを特徴とするものである。
【００１９】
この構成によれば、人体検知センサにより衛生洗浄装置の前方近傍にいる人が検知されたときに、照明装置が点灯されるので、使用者は、夜間に衛生洗浄装置を使用するときでも、手動で照明装置を点灯させることなく、衛生洗浄装置の位置を認識し、衛生洗浄装置を使用することができる。特に、人体検知センサにより衛生洗浄装置の前方近傍にいる人が検知されたときに、光量が大きくない照明が点灯されるので、たとえば、使用者が夜間衛生洗浄装置の前方に立ったとき（男子小用時など）でも、まぶしさが感じられず、覚醒することもない。
【００２０】
本発明のうち第４の態様に係るものは、第１または第２の態様に係る衛生洗浄装置であって、衛生洗浄装置が設置されているトイレ室に入室した人を検知する人体検知センサをさらに備え、制御手段は、人体検知センサによりトイレ室に入室した人が検知されたときに、前記照明装置を点灯させることを特徴とするものである。
【００２１】
この構成によれば、人体検知センサによりトイレ室に入室した人が検知されたときに、照明装置が点灯されるので、使用者は、夜間にトイレ室内を使用するときでも、手動で照明装置を点灯させることなく、トイレ室内を使用することができる。特に、人体検知センサによりトイレ室に入室した人が検知されたときに、光量が大きくない照明が点灯されるので、使用者が夜間トイレ室内を使用するときでも、まぶしさが感じられず、覚醒することもない。
【００２２】
本発明のうち第５の態様に係るものは、第１ないし第４のいずれかの態様に係る衛生洗浄装置であって、照明装置は、開放された便蓋の裏面で反射されるように投光することを特徴とするものである。
【００２３】
この構成によれば、照明装置により、開放された便蓋の裏面で反射されるように投光されるので、便蓋の裏面からの間接照明（反射光）によって、さらに衛生洗浄装置の前方を照明することができるとともに、便蓋の裏面からの間接照明（反射光）なので、直接照明と比較して、使用者にまぶしさを与えず、夜間に衛生洗浄装置を使用するときでも、覚醒することがない。
【００２４】
本発明のうち第６の態様に係るものは、第１ないし第５のいずれかの態様に係る衛生洗浄装置であって、照明装置は、ケーシングの左右方向の略中央部に設けられていることを特徴とするものである。
【００２５】
この構成によれば、照明装置がケーシングの左右方向の略中央部に設けられているので、便器横の左右いずれのトイレ室壁面をも照らすことができ、便器横の左右いずれの壁面にリモコン装置を設置した場合でも、使用者は、リモコン装置の操作ボタンを認識でき、確実に操作ボタンを操作することができる（リモコン装置の設置場所の自由性向上）。
【発明の効果】
【００２６】
以上のように本発明の衛生洗浄装置によれば、夜中にトイレ室を利用する場合でも、使用者に覚醒を促すことがなく、また、便器横のトイレ室の壁面（左右いずれかの壁面）に設置されているリモコン装置の操作ボタンを確実に操作することができる。
【発明を実施するための最良の形態】
【００２７】
以下、本発明の衛生洗浄装置の一実施形態について図面を参照にしながら説明する。
図１は、本発明の一実施形態における衛生洗浄装置が設置されているトイレ室内を示す外観斜視図である。
【００２８】
図１に示すように、トイレ室１０内には、衛生洗浄装置１と、手洗い場１１がそれぞれ設置されている。衛生洗浄装置１は、トイレ室１０内の奥側の床面上に、手洗い場１１は、トイレ室１０内の手前側にそれぞれ設置されている。
【００２９】
この衛生洗浄装置１は、陶器からなる便器２と、ケーシング３と、合成樹脂などからなる便座４および便蓋５と、照明装置６などから構成されている。
【００３０】
ケーシング３は、便器２の後方に設けられ、ケーシング３には、局部洗浄用のノズル装置（図示略）、局部乾燥装置（図示略）、制御装置（図示略）などの電装品が内蔵されている。また、便座４および便蓋５は、後述するケーシング３に設けられた便座回転軸および便蓋回転軸により軸支され、いずれもケーシング３の上部に回転自在に取り付けられている。また、照明装置６は、ケーシング３の上部で、後述する便座回転軸と便蓋回転軸の間（特に便蓋回転軸の近傍）に設けられ、上向きの方向に投光するように設置されている。この照明装置６は、低（Low）レベル、中（Middle）レベル、高（High）レベルの３段階で、照明装置６の光量を設定することができる。
【００３１】
また、リモコン装置２０は、衛生洗浄装置１横のトイレ室１０壁面に設置されている。このリモコン装置２０は、使用者（以下、「人」ともいう）が便座４に座った状態で操作することができ、かつ邪魔にならない位置に設置する必要があるため、衛生洗浄装置１横のトイレ室１０の壁面（左右いずれかの壁面）で、使用者の肩の高さ付近に着脱自在に設置されている。リモコン装置２０には、肛門洗浄、ビデ洗浄、温風乾燥の機能などを行なうために、使用者により操作される操作ボタン２１が備えられている。本実施形態では、リモコン装置２０は、電池を電源としており、操作ボタン２１の操作信号を赤外線により衛生洗浄装置１へ送信する。
【００３２】
次に、衛生洗浄装置１の便座４および便蓋５が開閉した状態について、図２（ａ）〜図２（ｃ）を用いて説明する。まず、衛生洗浄装置１の便蓋５および便座４のいずれもが閉止状態の場合について、図２（ａ）を参照にしながら説明する。図２（ａ）は、便蓋および便座のいずれもが閉止状態である衛生洗浄装置の外観斜視図である。
【００３３】
図２（ａ）に示すように、便蓋５には、半透明白色の受光窓１７が設けられている。この受光窓１７は、赤外線を通す性質を有している。受光窓１７の下部には、後述する第１の人体検知センサ（焦電型の赤外線センサ）が設けられている（図２（ｂ）参照）。そして、トイレ室１０に使用者が入室すると、この受光窓１７を介し、後述する第１の人体検知センサにより、人が発する赤外線が検知される。これにより、トイレ室１０に人が入室したことを検知することができる。
【００３４】
また、照明装置６は、便蓋５が閉止した状態で、便蓋５の後方に設けられており、便蓋５が閉止した状態でも、外部から視認できる状態にある。これにより、便蓋５が閉止した状態でも、照明装置６により、衛生洗浄装置１付近の上部を照らすことができる。詳細は後述する。
【００３５】
ケーシング３の上部後端左右端部には、リモコン装置２０からの赤外線を受光するためのリモコン受光窓１３が設けられている。このリモコン受光窓１３は、リモコン装置２０がトイレ室１０の左右のいずれの壁に設けられていても、リモコン装置２０からの赤外線を受光できるように、ケーシング３の左右両端部に設けられている（リモコン受光窓１３（左端部）図示略）。なお、便蓋回転軸１５は、便蓋５を軸支するものである。詳細は後述する。なお、本実施形態では、トイレ室１０手前側（入口方向）を「前」、トイレ室１０奥側を「後」、トイレ室１０入口から便器２に向かって左側を「左」、右側を「右」としている。
【００３６】
次に、衛生洗浄装置１の便蓋５が開放状態で便座４が閉止状態の場合について、図２（ｂ）を参照にしながら説明する。図２（ｂ）は、便蓋が開放状態で便座が閉止状態である衛生洗浄装置の外観斜視図である。
【００３７】
図２（ｂ）に示すように、ケーシング３の上部前端近傍に便座回転軸１４が設けられ、ケーシング３の上部後端近傍に便蓋回転軸１５が設けられている。この便蓋回転軸１５は、上述したように便蓋５を軸支するものであり、便座回転軸１４は、便座４を軸支するものである。便座回転軸１４および便蓋回転軸１５は、ケーシング３の左右方向に沿って、互いに平行に設置されている。また、図２（ｂ）に示すように、ケーシング３上部の便座回転軸１４と便蓋回転軸１５の間には、便器２横のトイレ室１０の壁面に設置されているリモコン装置２０を照明することができる程度の空間が設けられている。
【００３８】
照明装置６は、ケーシング３の便蓋回転軸１５の近傍に設けられている。このため、便蓋５が閉止した状態だけでなく開放した状態でも、照明装置６は、便蓋５に遮蔽されることなく、衛生洗浄装置１近傍の上部を照らすことができる。また、照明装置６は、ケーシング３の左右方向の中央部近傍に設けられている。これにより、便器２横の左右いずれのトイレ室１０壁面も照らすことができ、便器２横の左右いずれの壁面にリモコン装置２０を設置した場合でも、リモコン装置２０を照らすことができる。
【００３９】
また、ケーシング３には、第１の人体検知センサ７、第２の人体検知センサ８、および着座検知センサ９がそれぞれ設けられている。
【００４０】
第１の人体検知センサ７（焦電型の赤外線センサ）は、トイレ室１０に入室した人を検知するためのセンサであり、ケーシング３の上部後方に設けられている。具体的には、第１の人体検知センサ７は、受光部（図示略）を有している。そして、人体から発せられる赤外線を受光部（図示略）により受光することにより、トイレ室１０内で動いている人を検知することができる。なお、図２（ｂ）に示すように、便蓋５が開放された状態では、第１の人体検知センサ７が便蓋５の裏面側に位置することとなるが、この状態においても、外部から視認でき、トイレ室１０に入室した人を検知することができる。
なお、この第１の人体検知センサ７は、焦電型の赤外線センサであるので、トイレ室１０内で動いている人を検知することができるが、トイレ室１０内で停止している人は検知することができない。
【００４１】
第２の人体検知センサ８（光電型の赤外線センサ）は、衛生洗浄装置１の前方近傍にいる人を検知するためのセンサであり、ケーシング３の上部前端近傍に設けられている。具体的には、第２の人体検知センサ８は、投光部（図示略）と受光部（図示略）を有している。そして、投光部（図示略）により前方斜め上向きに投光された赤外線が衛生洗浄装置１の前方近傍にいる人に当たって反射され、その反射光が受光部（図示略）に受光されることにより、衛生洗浄装置１の前方近傍にいる人を検知することができる。
なお、この第２の人体検知センサ８は、上述したように衛生洗浄装置１の前方近傍にいる人を検知するためのセンサであり、この第２の人体検知センサ８の検知可能範囲は、衛生洗浄装置１の前方近傍の範囲とあらかじめ設定されている。
【００４２】
着座検知センサ９（光電型の赤外線センサ）は、使用者が便座４に着座しているかを検知するセンサであり、第２の人体検知センサ８と同じくケーシング３の上部前端近傍に設けられている。具体的には、着座センサ９は、投光部（図示略）と受光部（図示略）を有している。そして、投光部（図示略）により前方斜め下向きに投光された赤外線が便座４に着座している人に当たって反射され、その反射光が受光部（図示略）に受光されることにより、便座４に着座している人を検知することができる。
なお、この着座検知センサ9は、上述したように便座４に着座している人を検知するためのセンサであり、この着座検知センサ９の検知可能範囲は、人が着座する便座４近傍の範囲とあらかじめ設定されている。
【００４３】
次に、衛生洗浄装置１の便蓋５および便座４のいずれもが開放状態の場合について、図２（ｃ）を参照にしながら説明する。図２（ｃ）は、便蓋および便座のいずれもが開放状態である衛生洗浄装置の外観斜視図である。
【００４４】
図２（ｃ）に示すように、便蓋５および便座４のいずれもが開放状態の場合には、第２の人体検知センサ８は、外部から視認できる状態にある。これにより、便座４が閉止している状態のみならず、便座４が開放している状態でも、第２の人体検知センサ８により、衛生洗浄装置１の前方近傍にいる人を検知することができる。
【００４５】
なお、第２の人体検知センサ８は、便蓋５が閉止した状態（図２（ａ）の状態）では、外部から視認できる状態でない（便蓋５で覆われている）ので、衛生洗浄装置１の前方近傍にいる人を検知することができない。
【００４６】
次に、図２に示した照明装置６の構造について図３および図４を用いて詳細に説明する。
図３は、図２に示す照明装置近傍の縦断面図であり、図４は、図２に示す照明装置の分解構成図である。
【００４７】
図３に示すように、ＬＥＤ（Light Emitting Diode）６１は、照明装置６の発光源であり、便蓋回転軸１５の上部近傍に設けられている。本実施形態では、ＬＥＤ６１として、白色のＬＥＤ（Light Emitting Diode）を用いられている。このＬＥＤ６１は、ＬＥＤ基板６２の上に３個配設されている（図４参照）。
【００４８】
そして、図４に示すように、ＬＥＤ６１が配設されたＬＥＤ基板６２の上部にプラスチック製のホルダー６３が配置され、その上部にプラスチック製の透過板６５がさらに配置され、そのＬＥＤ基板６２とホルダー６３と透過板６５がそれぞれ組み立てられた状態で、ホルダー６３の固定部６３ａを介し、図３に示すケーシング３にネジ６４により固着されている。なお、ホルダー６３と透過板６５の間に、光を拡散させるレンズを配置してもよい。また、ＬＥＤ基板６２には、コネクタ６７が設けられ、そのコネクタ６７にプラグ６８が接続される。そして、そのプラグ６８に接続された配線を介して、後述する制御装置からの信号がＬＥＤ基板６２に送信される。
【００４９】
開口部７０は、ケーシング３後方に形成された横長の長方形状にした切欠きであり、この開口部７０を介し、照明装置６から発せられた光が外部に放出される。また、透過板６５は、ＬＥＤ６１から発せられた光を透過させる性質を有するもので、ＬＥＤ６１およびホルダー６３を外包するように形成されている（図４参照）。また、透過板６５の上部は、透過板６５の上部に形成された凸状部分に亘ってケーシング３の開口部７０に嵌合されている。なお、ケーシング３と透過板６５の間に設けられたパッキン６６は、開口部７０からケーシング３の内部に液体などが侵入しないようにするものである。
【００５０】
上述したように、ＬＥＤ６１から発せられた光は、透過板６５を介し、開口部７０から上向きに放出される。このＬＥＤ６１から発せられた光は、その光軸をトイレ室の天井に向かわせながら矢線Ｐ（衛生洗浄装置１の最も前方向に放出される光）から矢印Ｑ（衛生洗浄装置１の最も後方向に放出される光）の前後方向に広がりをもった範囲（直接光の縦方向照射範囲）で、開口部７０を介し放出される。これにより、照明装置６は、ケーシング３の上方を幅広く明るくすることができる。
【００５１】
また、便蓋５が開放された状態（５Ｂ）では、このＬＥＤ６１から発せられた光（矢印Ｑの光）は、便蓋５の裏面で反射されるので、その反射光（矢印Ｒ）により上述した矢印Ｐの光より、より前方を照らすことができる。これにより、反射光（間接光）により、上述した直接光の照射範囲より広い範囲を照射することができる（間接光の縦方向照射範囲）。
【００５２】
このように、便蓋５が開放された状態（５Ｂ）では、照明装置６からの直接光と便蓋５で反射した間接光の双方によってトイレ室１０内が照らされる。なお、便蓋５が開放された状態（５Ｂ）でも、便蓋５が閉止した状態（５Ａ）でも、ＬＥＤ６１は外部から視認できる状態（便蓋５で覆われない）にあるので、いずれの場合でも、ＬＥＤ６１から発せられた光は、透過板６５を介し、開口部７０から衛生洗浄装置１の外部に放出される。
【００５３】
次に、照明装置６の左右方向（横方向）の照射範囲について図５を参照にしながら説明する。図５は、図３に示すＡ−Ａ断面の断面図である。
【００５４】
開口部７０は、上述したように横長の長方形状をしている。ＬＥＤ６１は、上述したように、この開口部７０の長手方向に沿って一列に３個配設されている。そして、ＬＥＤ６１から発せられた光は、透過板６５を介し、開口部７０から上向きに放出される。このＬＥＤ６１から発せられた光は、矢線Ｓ（最も左方向に放出される光）から矢印Ｔ（最も右方向に放出される光）の左右方向に広がりをもった範囲（直接光の横方向照射範囲）で、開口部７０を介し放出される。このように３個のＬＥＤ６１が左右に並べて配設されているので、照明装置６は、ケーシング３の上方を左右方向においても幅広く明るくすることができる。
【００５５】
これにより、照明装置６は、便器２横のトイレ室１０の壁面に設置されているリモコン装置２０を、より効果的に照明することができる。
【００５６】
次に、本発明の一実施形態の衛生洗浄装置の電気的構成について図６を参照にしながら説明する。図６は、本発明の一実施形態の衛生洗浄装置の電気的構成を示すブロック図である。
【００５７】
図６に示すように、衛生洗浄装置１は、制御装置３０を備えている。制御装置３０は、ＣＰＵ（Central Processing Unit；中央演算処理部）、ＲＯＭ（Read Only Memory）、ＲＡＭ（Random Access Memory）、インタフェース等（何れも図示略）を含むマイクロコンピュータを有している。ＲＡＭ（図示略）、ＲＯＭ（図示略）などの記憶手段には、マイクロコンピュータを制御するためプログラムが記憶されている。
【００５８】
制御装置３０には、上述した第１の人体検知センサ７、第２の人体検知センサ８、着座検知センサ９の他に、便蓋５の開閉状態を検知する便蓋開閉センサ３１、便座４の開閉状態を検知する便座開閉センサ３２、リモコン受信部３３のそれぞれの機器からの出力信号が与えられるようになっている。そして、これらの出力信号に基づいて、制御手段３０は、照明装置６、便蓋開閉装置３４、および便座開閉装置３５を制御するようになっている。
【００５９】
便蓋開閉センサ３１は、便蓋５の開閉とともに「オン」、「オフ」する機械的センサが用いられている。また便座開閉センサ３２も、便座４の開閉とともに「オン」、「オフ」する機械的センサが用いられている。なお、本実施形態では、便蓋開閉センサ３１および便座開閉センサ３２として機械的に検出するセンサを用いたが。これに限らず、たとえば、光電センサなどの非接触で検出するセンサでもよく、またマイクロスイッチ、ホールＩＣ、測距センサ等などで検出するセンサであってもよい。
【００６０】
リモコン受信部３３は、リモコン装置２０からのリモコン操作信号（赤外線）を、リモコン受光窓１３を介して、受信するものである。このリモコン操作信号（赤外線）の操作情報は、リモコン受信部３３から制御装置３０に出力される。
【００６１】
便蓋開閉装置３４は、便蓋回転軸１５を回転駆動させることにより、便蓋５を開放させたり閉止させたりする装置である。具体的には、便蓋開閉装置３４は、便蓋回転軸１５をそれぞれ正逆方向に回転させる直流モータ（図示略）と、この直流モータを駆動させる駆動回路（図示略）と、この直流モータの駆動力を便蓋回転軸１５に伝達して便蓋５を開閉させる伝達機構（図示略）から構成されている。また、便座開閉装置３５は、便座回転軸１４を回転駆動させることにより、便座４を開放させたり閉止させたりする装置である。具体的には、便座開閉装置３５も、便座回転軸１４をそれぞれ正逆方向に回転させる直流モータ（図示略）と、この直流モータを駆動させる駆動回路（図示略）と、この直流モータの駆動力を便座回転軸１４に伝達して便座４を開閉させる伝達機構（図示略）から構成されている。
【００６２】
リモコン装置２０には、衛生洗浄機能の操作ボタン２１のほかに、オートライトスイッチ２２、オート開閉スイッチ２３のスイッチボタンも備えられている。
【００６３】
オートライトスイッチ２２は、自動点灯の動作モード（オートライトモード）にするか否かの操作ボタン２１である。使用者が、オートライトスイッチ２２の操作ボタン２１を操作することにより、オートライトスイッチ２２が「オン」（オートライトモードの「入」状態）になる。具体的には、使用者により、リモコン装置２０のオートライトスイッチ２２の操作ボタン２１が操作されると、そのリモコン操作信号（赤外線）がリモコン装置２０からリモコン受信部３３に送信され、そして、リモコン受信部３３から制御装置３０に送信されたリモコン操作信号（赤外線）の操作情報が、制御装置３０のＲＡＭ（図示略）に記憶される（オートライトモードの「入」状態が記憶）。これにより、リモコン装置２０のオートライトスイッチ２２の操作ボタン２１が使用者により操作され、オートライトスイッチ２２を「オフ」にされるまで、オートライトスイッチ２２の「オン」（オートライトモードの「入」状態）が制御手段３０に記憶される。そして、後述するように、オートライトモードの「入」状態では、第１の人体検知センサ７、第２の人体検知センサ８、着座検知センサ９のいずれかのセンサにより人体または着座が検知されると、照明装置６が自動点灯する。
【００６４】
オート開閉スイッチ２３は、自動開閉の動作モード（オート開閉モード）にするか否かの操作ボタン２１である。使用者が、オート開閉スイッチ２３の操作ボタン２１を操作することにより、オート開閉スイッチ２３が「オン」（オート開閉モードの「入」状態）になる。具体的には、使用者により、リモコン装置２０のオート開閉スイッチ２３の操作ボタン２１が操作されると、そのリモコン操作信号（赤外線）がリモコン装置２０からリモコン受信部３３に送信され、そして、リモコン受信部３３から制御装置３０に送信されたリモコン操作信号（赤外線）の操作情報が、制御装置３０のＲＡＭ（図示略）に記憶される（オート開閉モードの「入」状態が記憶）。これにより、リモコン装置２０のオート開閉スイッチ２３の操作ボタン２１が使用者により操作され、オート開閉スイッチ２３が「オフ」にされるまで、オート開閉スイッチ２３の「オン」（オート開閉モードの「入」状態）が制御手段３０に記憶される。そして、後述するように、オート開閉モードの「入」状態では、第１の人体検知センサ７により人体が検知されると便蓋５が緩やかに開放され、第１の人体検知センサ７、第２の人体検知センサ８により人体が検出されなくなると、所定時間後に便蓋５が緩やかに閉止（便座４が開放されていれば便座４とともに閉止）される。詳細は後述する。
【００６５】
次に、図２に示す照明装置６の切換動作について図７を参照にしながら説明する。図７は、図２に示す照明装置の切換動作の状態遷移図である。
【００６６】
図７では、使用者がトイレ室１０に入室する前の状態（待機状態）から、トイレ室１０に入室し、便座４に着座して、トイレ室１０から退室するまでの一連の動作について説明している。図７では、各種プログラムおよび各種センサからの情報が制御装置３０に送信され、そして、制御装置３０により照明装置６の光量を、「消灯」の状態から、「低（Low）レベル」「中（Middle）レベル」、「高（High）レベル」の３段階で点灯状態を切り換えられている。
【００６７】
なお、本実施形態では、「消灯」の状態から、照明装置６の光量を「低（Low）レベル」「中（Middle）レベル」、「高（High）レベル」の３段階で点灯状態が切り換えられているが、これに限らず、「低（Low）レベル」「中（Middle）レベル」「高（High）レベル」の他に「最低（bottom）レベル」を設けてもよく、さらに、それぞれの「低（Low）レベル」「中（Middle）レベル」、「高（High）レベル」などに段階（たとえば「低１レベル」「低２レベル」「低３レベル」など）を設けてもよい。つまり、中間の光量（Ｓ２の光量（本実施形態では「中（Middle）レベル」））が、トイレ室１０の使用者にまぶしさを感じさせず、夜間の使用でも覚醒させることがない光量で、後述するようにＳ３→Ｓ２→Ｓ５の順で光量が大きくなるものであれば、それぞれの光量の大きさは問わない。
【００６８】
（Ｓ１の状態）  
まずＳ１の状態は、トイレ室１０に人が入室する前の状態（待機状態）を示している。この待機状態では、トイレ室１０内に使用者がいない状態なので、トイレ室１０内の照明装置６は消灯している。
【００６９】
また、待機状態では、オートライトモードが「入」に設定されている。すなわち、この待機状態で、第１の人体検知センサ７（焦電型の赤外線センサ）、第２の人体検知センサ８（光電型の赤外線センサ）、着座検知センサ９（光電型の赤外線センサ）のいずれかのセンサにより人体または着座が検知されると、照明装置６が自動点灯する。
【００７０】
このＳ１の状態で、トイレ室１０に使用者が入室し、その入室した人が第１の人体検知センサ７により検知されると、また、第２の人体検知センサ８により衛生洗浄装置１の前方近傍にいる人が検知（人体検知センサ（第１または第２）：検知）されると、Ｓ２の状態（Ｍ点灯状態）に移行する。
【００７１】
ここで、第２の人体検知センサ８により衛生洗浄装置１の前方近傍にいる人が検知された場合にも、Ｓ２の状態に移行するとしたのは、使用者が、衛生洗浄装置１の前方近傍で、リモコン装置２０のオートライトスイッチ２２の操作ボタン２１を操作して、オートライトスイッチ２２を「オフ」から「オン」にした場合などを想定している。しかし、本実施形態では、待機状態でオートライトスイッチ２２が「オン」であるので、使用者がトイレ室１０内に入室した場合に、第１の人体検知センサ７によりその人が検知され、Ｓ２に移行する。
【００７２】
なお、上述したように、使用者がリモコン装置２０のオートライトスイッチ２２の操作ボタン２１を操作して、オートライトスイッチ２２を「オフ」にしない限り、オートライトモードの「入」状態が継続する。
【００７３】
また、Ｓ1の状態で、オート開閉モードが「入」状態になっている場合は、トイレ室１０に使用者が入室し、その入室した人が第１の人体検知センサ７により検知されると、便蓋５が自動開放する。これにより、使用者は、手動で便蓋５を開ける必要はなく、使用の簡便化を図ることができる。また、便蓋２が開放されることにより、第２の人体検知センサ８が視認できる状態になり、第２の人体検知センサ８が検知可能状態になる。
【００７４】
（Ｓ１の状態→Ｓ２の状態）
Ｓ１の状態から第２の状態へは、上述したように、トイレ室１０に使用者が入室し、その入室した人が第１の人体検知センサ７により検知された場合に移行する。このように、トイレ室１０に入室すれば、照明装置６が自動的に点灯されるので、使用者は、手動で照明装置６を点灯させる必要がなく（トイレ室１０の使用の簡便化）、また、常時点灯の場合を比較して、照明装置６の電気代も節約することができる。
【００７５】
Ｓ２の状態は、照明装置６が中（Middle）レベルで点灯している状態（Ｍ点灯状態）を示している。このＳ２の状態では、トイレ室１０の照明として十分役立つ程度に、ぼんやり照らす程度（Ｍ点灯）にトイレ室１０内が照らされている。換言すると、このＭ点灯状態では、便座４の先端に立った人が、その位置から照明装置６を見た時でも、その使用者にまぶしさを感じさせない輝度に設定（輝度（まぶしさ）を３５０ｃｄ／ｍ２以下に設定）されている。具体的には、３個のＬＥＤ６１に１０ｍＡの電流を通電することにより、便座４の先端に立った人が、その位置から照明装置６を見た時の輝度が３５０ｃｄ／ｍ２以下になるように設定されている。
【００７６】
これにより、便座４の先端に立った人が、その位置から照明装置６を見たときに、照明装置６の輝度が３５０ｃｄ／ｍ２以下になるように設定されているので、夜間にトイレ室１０に入室した人のみならず、男子小便時のように衛生洗浄装置１の前に立った場合でも、トイレ室１０の使用者にまぶしさを感じさせず、夜間のトイレ室１０の使用者に覚醒させることもない。
【００７７】
なお、上述したように、トイレ室１０に使用者が入室すると、第１の人体検知センサ７により、そのトイレ室１０に入室した人が検知される。そして、その使用者が衛生洗浄装置１の前方近傍に来れば、さらに第２の人体検知センサ８でも衛生洗浄装置１の前方近傍にいる人が検知される。このように、使用者が衛生洗浄装置１の前方近傍に来れば、第１の人体検知センサ７により検知されながら、さらに、第２の人体検知センサ８でもその人が検知される状態となる。そこで、本実施形態では、第１の人体検知センサ７により人体が検知されている状態で、第２の人体検知センサ８により人体が検知されれば、第１の人体検知センサ７の検知信号を制御手段３０に送信しないこととしている。これにより、照明装置６を制御するための制御信号が単一化され、システム構成の簡略化を図ることができる。
【００７８】
（Ｓ２の状態→Ｓ５の状態）
Ｓ２の状態で、使用者が便座４に着座し、その便座４への着座が着座検知センサ９により検知されると、Ｓ５（Ｈ点灯状態）に移行する。すなわち、女子使用時あるいは男子大便使用時のように、使用者が便座４に着座すると、その便座４への着座が着座検知センサ９により検知され、Ｓ５（Ｈ点灯状態）に移行される。
【００７９】
Ｓ５の状態は、照明装置６が高（High）レベルで点灯している状態（Ｈ点灯状態）を示している。このＳ５の状態では、使用者が便座４に着座した状態で、便器２横のトイレ室１０の壁面に設置されるリモコン装置２０の操作ボタン２１が認識できる程度に、リモコン装置２０が照明装置６により照らされている。換言すれば、Ｈ点灯状態では、便器２横のトイレ室１０の壁面に設置されるリモコン装置２０の操作ボタン２１が認識できる程度の照度に設定（照度（明るさ）を０．１Ｌｘ以上に設定）されている。具体的には、３個のＬＥＤ６１に２０ｍＡの電流を通電することにより、便器２横のトイレ室１０の壁面に設置されるリモコン装置２０の照度が０．１Ｌｘ以上になるように設定されている。
【００８０】
なお、本実施形態では、Ｈ点灯状態で、３個のＬＥＤ６１に２０ｍＡの電流を通電することにより、便器２横のトイレ室１０の壁面に設置されるリモコン装置２０の照度が０．１Ｌｘ以上になるように設定されているが、これに限らず、３個のＬＥＤ６１に２０ｍＡ以上（たとえば、３０ｍＡ、４０ｍＡ、５０ｍＡなど）の電流を通電することにより、便器２横のトイレ室１０の壁面に設置されるリモコン装置２０の照度が０．１Ｌｘ以上になるように設定してもよい。
【００８１】
この照明装置６は、ケーシング３の上部で、便座回転軸１４と便蓋回転軸１５の間に設けられているので、着座した使用者の背面と便蓋５との間に空間が確保される。このため、照明装置６は、着座した使用者の背面と便蓋６との間に確保された空間を利用して、便器２横のトイレ室１０壁面を照らすことができる。しかも、使用者が便座４に着座しているときには、照明装置６をＨ点灯状態にしているので、使用者は、着座しているときに、便器２横のトイレ室１０の壁面に設置されているリモコン装置２０の操作ボタン２１を認識でき、確実に操作ボタン２１を操作することができる。特に、照明装置６はケーシング３の上部で、便蓋回転軸１４の近傍に設けられているので、着座した使用者の背面と照明装置６との間に広い空間が確保される。このため、照明装置６は、着座した使用者の背面と照明装置６との間に確保された空間を利用して、より前方の便器２横のトイレ室１０壁面を照らすことができる。また、使用者が便座４に着座しているときには、照明装置６が便座４に着座している使用者の背後に位置することとなるので、照明装置６がＨ点灯状態であっても、照明装置６の光が直接目に入ることなく、使用者は覚醒することもない。
【００８２】
このように、夜中にトイレ室１０を利用する場合でも、使用者に覚醒を促すことがなく、また、便器２横のトイレ室１０の壁面に設置されているリモコン装置２０の操作ボタン２１を確実に操作することができるとともに、その照明装置６を一つの照明装置６により実現することができる。
【００８３】
また、Ｓ１の状態（待機状態）で、使用者が便座４に着座し、その便座４への着座が着座検知センサ９により検知されると、Ｓ５（Ｈ点灯状態）に移行する。
ここで、Ｓ１の状態（待機状態）で、使用者が便座４に着座し、その便座４への着座が着座検知センサ９により検知されると、Ｓ５の状態に移行するとしたのは、使用者が、便座４に着座した状態で、リモコン装置２０のオートライトスイッチ２２の操作ボタン２１を操作して、オートライトスイッチ２２を「オフ」から「オン」にした場合などを想定したものであるが、本実施形態では、待機状態でオートライトスイッチ２２が「オン」であるので、Ｓ１からＳ５に移行することはない。
【００８４】
（Ｓ５の状態→Ｓ２の状態）
Ｓ５の状態で、使用者が便座４から離座し、便座４への着座が着座検知センサ９により検知されなくなると、Ｓ２（Ｍ点灯状態）に移行する。すなわち、使用者が便座４から離座したときには、使用者は衛生洗浄装置１の前方近傍にいるので、その衛生洗浄装置１の近傍にいる人が第２の人体検知センサ８により検知され、Ｓ２（Ｍ点灯状態）に移行する。
これにより、照明装置６の光量がＨ点灯状態からＭ点灯状態に移行されるので、便座４から離座した使用者が、その離座した位置から照明装置６を見た場合でも、まぶしさを感じさせず、夜間のトイレ室１０の使用者に覚醒させることもない。
【００８５】
（Ｓ２の状態→Ｓ３の状態）
Ｓ２の状態で、使用者が衛生洗浄装置１の前方近傍にいなくなる（第２の人体検知センサ８非検知）と、Ｓ３（Ｌ点灯待ち状態）に移行する。
【００８６】
Ｓ３の状態は、Ｍ点灯状態を継続しつつ、使用者が衛生洗浄装置１の前方近傍から離れてから、所定の時間（９０秒）経過後にＳ３からＳ４に移行させる状態を示している（Ｌ点灯状態）。すなわち、Ｓ３の状態では、使用者が衛生洗浄装置１の前方近傍から離れて（衛生洗浄装置１を使用しなくなって）から、所定の時間（９０秒）経過すると、使用者がトイレ室１０から退室するだろうと考え、その時間（９０秒）経過後にＳ３からＳ４に移行させる。具体的には、このＳ３の状態では、Ｓ２の状態で衛生洗浄装置１の前方近傍の人が第２の人体検知センサ８により検知されなくなり、制御手段３０が第２の人体検出センサ８からの検知信号を受信しなくなれば、制御装置３０により、タイマー（図示略）がセットされる。そして、タイマーがセットされてから所定の時間（９０秒）以内に、衛生洗浄装置１の前方近傍の人が第２の人体検知センサ８により検知されない場合に、Ｓ４の状態に移行される。これにより、照明装置６は、Ｍ点灯からＬ点灯（照明装置６が低（Low）レベルで点灯）になる。この所定の時間（９０秒）は、使用者が衛生洗浄装置１を使用してから、見繕いをしたり、手を洗ったりするのに十分な時間が設定されている。本実施形態では、９０秒が設定されている。
【００８７】
また、タイマーがセットされてから所定の時間（９０秒）経過する前に、衛生洗浄装置１の前方近傍の人が第２の人体検知センサ８により検知されれば、Ｓ２の状態に移行される。そして、Ｓ２に移行されると、制御装置３０により、９０秒のタイマーがリセットされる。そして、衛生洗浄装置１の前方近傍へ戻った使用者が、再び衛生洗浄装置１の前方近傍から離れた場合に、照明装置６の状態は再びＳ２からＳ３に移行され、９０秒のタイマーが制御手段３０により再びセットされる。
【００８８】
これにより、Ｍ点灯状態からＬ点灯状態に移行させるタイミングを、衛生洗浄装置１の前方近傍の人がいなくなったとき、すなわち、使用者が衛生洗浄装置１を使用しなくなったときを起算点としているので、使用者が衛生洗浄装置１を使用しなくなったときから、何分後に退室するかをあらかじめ求め（通常値など）、その時間経過後に、Ｍ点灯状態からＬ点灯状態に移行させれば、実情にあった時間経過後に、Ｍ点灯状態からＬ点灯状態に移行させることができる。
【００８９】
（Ｓ３状態→Ｓ４の状態）
Ｓ３の状態で、衛生洗浄装置１の前方近傍の人が第２の人体検知センサ８により検知されない状態が、所定の時間（９０秒）継続することにより、Ｓ４の状態に移行する。
【００９０】
Ｓ４の状態は、照明装置６がＭ点灯からＬ点灯になり、衛生洗浄装置１の前方近傍の人が第２の人体検知センサ８により検知されない状態が、さらに所定の時間（５秒）継続後にＳ４からＳ１に移行させる状態を示している（消灯待ち状態）。すなわち、照明装置６がＬ点灯になってから、所定の時間（５秒）経過すると、トイレ室１０内に人がいないだろうと考え、その時間（５秒）経過後にＳ４からＳ１に移行させる。具体的には、このＳ４の状態では、Ｓ３の状態で衛生洗浄装置１の前方近傍にいる人が、第２の人体検知センサ８により継続して９０秒間検知されなくなり、制御手段３０が第２の人体検出センサ８からの検知信号を継続して９０秒間受信しなくなれば、制御装置３０により、タイマー（図示略）がセットされる。そして、タイマーがセットされてから所定の時間（５秒）以内に、第１の人体検知センサ７により、また第２の人体検知センサ８により使用者が検知されない場合に、Ｓ１の状態に移行される。これにより、照明装置６がＬ点灯から消灯する。この所定の時間（５秒）は、Ｍ点灯からＬ点灯に光量が一段と小さくされること（消灯予告）により、使用者がもうすぐ照明装置６が消灯されることに気づき、使用者が、第１の人体検知センサ７により、また、第２の人体検知センサ８により検知されるための行動を取るための時間として十分な時間が設定されている。本実施形態では、５秒が設定されている。
【００９１】
また、タイマーがセットされてから所定の時間（５秒）が経過する前に、第１の人体検知センサ７により、また第２の人体検知センサ８により使用者が検知されれば、Ｓ２の状態に移行される。これにより、照明装置６はＭ点灯状態になる。そして、Ｓ２に移行されると、制御装置３０により、５秒のタイマーがリセットされる。
【００９２】
また、Ｓ４の状態で、オート開閉モードが「入」状態になっている場合も、照明装置６と同様に、タイマーがセットされてから所定の時間（５秒）以内に、第１の人体検知センサ７により、また第２の人体検知センサ８により使用者が検知されない場合に、緩やかに便蓋５が閉止される。これにより、使用者は、手動で便蓋５を閉じる必要はなく、使用の簡便化を図ることができる。
【００９３】
上述したＳ２（Ｍ点灯状態）、Ｓ５（Ｈ点灯状態）、Ｓ３（Ｌ点灯状態）、Ｓ４（消灯待ち状態）のいずれにおいても、リモコン装置２０のオートライトスイッチ２２の操作ボタン２１を操作して、オートライトスイッチ２２を「オフ」にすれば、Ｓ６（停止状態）に移行する。停止状態では、第１の人体検知センサ７、第２の人体検知センサ８、着座検知センサ９が検知しているか否かに拘らず、照明装置６が消灯する。すなわち、停止状態では、照明装置６を自動点灯させるのではなく、照明装置６の動作スイッチ（図示略）を手動で操作することにより、照明装置６を点灯させる。
【００９４】
なお、照明装置６がＳ１（待機状態）、Ｓ２（Ｍ点灯状態）にあるときだけでなく、Ｓ３の状態、Ｓ４の状態のいずれか状態にあるときでも、着座検知センサ９により使用者の着座が検知されると、Ｓ５（Ｈ点灯状態）に移行する。すなわち、オートライトモードが「入」になっているときは、便座４への着座が検知されると、Ｓ５の状態に移行し、照明装置６がＨ点灯状態となる。
【００９５】
以上のように、本実施形態の衛生洗浄装置１では、夜間にトイレ室１０へ入室した使用者に、まぶしく感じさせることのない程度の光量でトイレ室１０を照らし（Ｓ２の状態およびＳ３の状態）、使用者が照明装置６の光を直接目にする恐れのない姿勢（着座）をとったときには、照明装置６の光量を大きくして、便座４に着座している使用者によりリモコン装置２０が操作可能な程度の明るさで照らされる（Ｓ５の状態）ように構成されている。すなわち、本実施形態の衛生洗浄装置１では、夜中にトイレ室１０を利用する場合でも、照明装置６の光により使用者に覚醒を促すことがなく、また、便器２の近傍のトイレ室１０の壁面（左右いずれかの壁面）に設置されているリモコン装置２０の操作性を高めるように構成されている。
【００９６】
また、使用者がトイレ室１０に入室すると、第１の人体検知センサ７によって使用者が検知されることにより、照明装置６が自動的に点灯されるので、手動で照明装置６を点灯させる必要がなく、トイレ室１０の利用の簡便化を図ることができる。
【００９７】
また、使用者が衛生洗浄装置１の前方近傍から離れた後も、手洗い等に要する時間を見込んで、一定時間にわたってトイレ室１０が照らされる（Ｓ３の状態）ので、使用者は衛生洗浄装置１を使用した後の手洗い等を、照明されたトイレ室１０の中で行うことができるとともに、衛生洗浄装置1の前方近傍にいる人がいなくなった（第２の人体検知センサ８が検知しなくなった）ときから、所定の時間経過後に照明装置６を消灯させるので、あらかじめ使用者の手洗い等に要する時間（通常値など）を求め、その時間経過後に照明装置６が消灯することになり、実情にあった時間経過後に照明装置６を消灯させることができる。さらに、照明装置６が消灯する前に、照明装置６の光量を一段と小さくして、照明装置６が消灯されることを使用者に知らせる（予告）ので（Ｓ４の状態）、手洗い等に長い時間を要した場合であっても、使用者は、照明装置６がまもなく消灯することを事前に知ることができ、その時点で再び照明装置６をＭ点灯させることができる（Ｓ４の状態→Ｓ２の状態）。
【００９８】
次に、トイレ室１０のそれぞれの使用態様に対応する照明装置６の動作について図８から図１１を用いて説明する。図８〜図１１は、トイレ室１０の使用態様に対応する照明装置６のタイミングチャートである。なお、本タイムチャートも、図７の状態遷移図と同様に、待機状態において、オートライトモードが「入」に設定されている。また、照明装置６のそれぞれの状態（Ｓ１〜Ｓ６）は、図７の状態遷移図の照明装置６の状態を示している。
【００９９】
（女子使用時もしくは男子大便時）
まず、トイレ室１０に入室後、使用者が便座４に着座する場合の照明装置６の照明状態について図８を参照にしながら説明する。図８は、トイレ室に入室した後に、使用者が便座に着座する場合の照明装置の状態を示すタイムチャートである。
【０１００】
使用者がトイレ室１０へ入室すると、第１の人体検知センサ７により入室者したことが検知される（時刻ｔａ１）。そうすると、照明装置６の状態は、Ｓ１の状態からＳ２の状態へ移行する。これにより、照明装置６はＭ点灯する。それと同時に、オート開閉モードが「入」になっている場合は、便蓋５がゆっくりと開き始める。そして、使用者が衛生洗浄装置１（便器２）の近傍に進めば、第２の人体検知センサ８がオン状態（検知状態）となる（時刻ｔａ２）。第２の人体検知センサ８がオン状態（検知状態）になれば、第１の人体検知センサ７がオフ状態（非検知状態）になる。この状態では、第２の人体検知センサ８がオン状態（検知状態）であるので、Ｍ点灯状態（Ｓ２）が維持される。
【０１０１】
その後、使用者が便座４に着座すると、着座検知センサ９がこれを検知することにより、照明装置６の状態が、Ｓ２からＳ５へ移行する。それにより、Ｍ点灯していた照明装置６はＨ点灯となる（時刻ｔａ３）。使用者が衛生洗浄装置１を使用し終わって、便座４から離座すると、着座検知センサ９は着座を検知しなくなる。その結果、照明装置６の状態はＳ５からＳ２に移行し、Ｈ点灯していた照明装置６はＭ点灯になる（時刻ｔａ４）。
【０１０２】
そして、その後、離座した使用者が衛生洗浄装置１の前方近傍から離れると、第２の人体検知センサ８は使用者を検知しなくなる（時刻ｔａ５）。その結果、照明装置６の状態は、Ｓ２からＳ３へ移り、９０秒のタイマーがセットされることとなる。使用者は手洗い場１１へ移動し（時刻ｔａ６）、手洗いを済ませた後に、トイレ室１０を退室する（時刻ｔａ７）。  
図８に示すように、タイマーが９０秒の経過を制御装置３０に通知するまでに使用者が退室する場合には、使用者が退室した（時刻ｔａ７）後に、照明装置６の状態がＳ３からＳ４へ移行し、Ｍ点灯していた照明装置６はＬ点灯に変わることとなる（時刻ｔａ８）。
【０１０３】
その後、５秒の経過を待って、照明装置６の状態がＳ４からＳ１に移行し、それにより照明装置６は消灯することとなる（時刻ｔａ９）。それと同時に、オート開閉モードの機能により、便蓋５がゆっくりと閉止し始める。
【０１０４】
（男子小便時など）
次に、トイレ室１０に入室後、使用者が便座４に着座することなく使用（男子小便時など）する場合の照明装置６の照明状態について図９を参照にしながら説明する。図９は、トイレ室に入室した後に、使用者が便座に着座することなく使用（男子小便時）する場合の照明装置の状態を示すタイムチャートである。なお、使用者がトイレ室１０へ入室したときから、衛生洗浄装置１の前方近傍に到着するまで（時刻ｔｂ１〜時刻ｔｂ２）は、図８と同様であるので、ここでは、使用者が衛生洗浄装置１の近傍に到着したときから説明する。衛生洗浄装置１の前方近傍に到着した状態では、第２の人体検知センサ８がオン状態（検知状態）で、照明装置８はＭ点灯している。
【０１０５】
衛生洗浄装置１の近傍に到着した使用者は、直接手動で、あるいはリモコン装置２０を操作して自動で、便座４を開放して（時刻ｔｂ２１）、衛生洗浄装置１を使用する。
【０１０６】
使用者が、衛生洗浄装置１の使用を終えた後に衛生洗浄装置１の前方近傍から離れると、第２の人体検知センサ８により使用者が検知されなくなる（時刻ｔｂ５）。その後、図８と同様の動作（時刻ｔｂ５〜時刻ｔｂ９）が行われた後、照明装置６が消灯する（時刻ｔｂ９）。そして、照明装置６が消灯すると同時に、オート開閉モードの機能により、開放されていた便蓋５が便座４とともに、ゆっくりと閉止し始める。
【０１０７】
（９０秒を超える使用（女子使用時もしくは男子大便使用時））
次に、衛生洗浄装置１の使用後に、９０秒を超えてトイレ室１０にいる場合の照明装置６の照明状態について図１０を参照にしながら説明する。図１０は、衛生洗浄装置の使用後に、９０秒を超えてトイレ室にいる場合の照明装置の状態を示すタイムチャートである。なお、使用者がトイレ室１０へ入室したときから、衛生洗浄装置１の前方近傍から離れるまで（時刻ｔｃ１〜時刻ｔｃ６）は、図８と同様であるので、ここでは、使用者が衛生洗浄装置１の近傍から離れたときから説明する。衛生洗浄装置１の前方近傍から離れた状態では、第２の人体検知センサ８がオン状態（検知状態）で、照明装置８がＭ点灯している。
【０１０８】
使用者が便座４から離座し、使用者が衛生洗浄装置１の前方近傍から離れると、第２の人体検知センサ８は使用者を検知しなくなる（時刻ｔｃ５）。その結果、照明装置６の状態は、Ｓ２からＳ３へ移行し、９０秒のタイマーがセットされる。使用者は手洗い場１１へ移動し（時刻ｔｃ６）、長い時間にわたって手洗い場１１で手洗い等を行っているうちに、タイマーが９０秒の経過を制御装置３０に通知すると、照明装置６の状態はＳ３からＳ４へ移行する。それにともない、Ｍ点灯していた照明装置６はＬ点灯になる（時刻ｔｃ８）。その後、トイレ室１０にいる使用者が足を動かして立っている位置を変えるなどの動作を行うと、その使用者の動きが第１の人体検知センサ７により検知される（時刻ｔｃ１０）。この結果、照明装置６の状態は、Ｓ４からＳ２に移行する。それにともない、照明装置６はＭ点灯を開始する。また、Ｓ２に移行した状態では、使用者が衛生洗浄装置１の近傍にいないので、第２の人体検知センサ８により検知されず、第２の人体検知センサ８はオフ状態（非検知状態）となって、Ｓ２からＳ３に移行するとともに、９０秒のタイマーが再びセットされる。
【０１０９】
そして、タイマーが９０秒の経過する前に、使用者が手洗い場１１を去ってトイレ室１０から退室する（時刻ｔｃ１１）。その後、タイマーが９０秒の経過時点で、９０秒経過したことを制御装置３０に通知されれば、Ｓ３からＳ４へ移行し（時刻ｔｃ１２）、さらに５秒の経過を待って、Ｓ４からＳ１へ移行し、照明装置６が消灯する（時刻ｔｃ１３）。
【０１１０】
（便蓋手動閉止）
次に、使用者が便座４から離座し、便蓋５を手動で閉止した場合の照明装置６の照明状態について説明する。図１１は、衛生洗浄装置の使用後に、便蓋５を手動で閉止した場合の照明装置の状態を示すタイムチャートである。なお、使用者がトイレ室１０へ入室したときから、便座４から離座するまで（時刻ｔｄ１〜時刻ｔｄ４）は、図８と同様であるので、ここでは、使用者が便座４から離座したときから説明する。便座４から離座した状態では、第２の人体検知センサ８がオン状態（検知状態）で、照明装置８がＭ点灯している。
【０１１１】
使用者が便座４から離座し、手動により便蓋５が閉止される（時刻ｔｄ２２）と、第２の人体検知センサ８が視認できない状態になるので、第２の人体検知センサ８がオフ状態（非検知状態）になる。これにより、第２の人体検知センサ８が人体を検知しなくなるので、照明装置６の状態はＳ２からＳ３へ移行する。そして、９０秒のタイマーがセットされる（時刻ｔｄ２２）。
【０１１２】
その後、使用者が手洗い場１１を経て（時刻ｔｄ６）、タイマーが９０秒経過する前に、使用者は手洗い場１１を去ってトイレ室１０を退室する（時刻ｔｄ７）。その後、タイマーが９０秒の経過を制御装置３０に通知すると、照明装置６の状態がＳ３からＳ４に移行し（時刻ｔｄ８）、さらに５秒の経過を待ってＳ４からＳ１に移行する（時刻ｔｄ９）。
【０１１３】
今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【０１１４】
以下、本発明の変形例について説明する。
（１）  本実施形態では、照明装置６を、ケーシング３の上部で便蓋回転軸１５の近傍に設けたが、これに限らず、照明装置６を、便蓋回転軸１５の近傍から離れて、便座回転軸１４と便蓋回転軸１５との間に設けてもよい。この場合、たとえば、便蓋５が閉止したときにも、照明装置６が外部から視認できる状態（たとえば、照明装置６の上部に切欠きを設けたり、窓を設けるなど）にすることにより、便蓋５が開放、閉止のいずれの状態でも、トイレ室１０内を照らすことができる。そして、照明装置６を、便蓋回転軸１５の近傍から離れて、便座回転軸１４と便蓋回転軸１５との間に設けた場合でも、便座４に使用者が着座した状態で、便座４に着座した使用者の背面と便蓋５の間の空間を利用してリモコン装置２０を照らすことができる。
【０１１５】
（２）  本実施形態では、照明装置６の光量をＬ点灯、Ｍ点灯、Ｈ点灯の３段階としたが、これに限らず、このＬ点灯、Ｍ点灯、Ｈ点灯の３段階の光量からなるグループを複数設け、そして、Ｌ点灯、Ｍ点灯、Ｈ点灯の３段階の光量からなるグループの中から、たとえば、リモコン装置２０を用いて、使用者が希望するグループを選択できるようにしてもよい。これにより、使用者自身の好みによって光量を変えることができる。例えば、減光モード、通常モード、増光モードの３種類のグループを設け、リモコン装置２０の操作ボタン２１を操作することにより、それぞれ、増光モード、通常モード、減光モードのいずれのモードにするかを選択できるようにしてもよい（デフォルト値（初期設定値）は通常モード）。そして、減光モードのときには、例えば、Ｌ点灯時、Ｍ点灯時、Ｈ点灯時のＬＥＤ６１に通電する電流を、それぞれ４ｍＡ、８ｍＡ、１８ｍＡとし、通常モードのときには、例えば、５ｍＡ、１０ｍＡ、２０ｍＡとし、また、増光モードのときには、例えば、６ｍＡ、１２ｍＡ、２５ｍＡに設定するようにしてもよい。
【０１１６】
（３）  本実施形態の図７のＳ４（消灯待ち状態）では、５秒後に消灯することを使用者に知らせる（予告する）ために、照明装置６をＭ点灯からＬ点灯にしたが、これに限らず、照明装置６を点滅（点灯、消灯の繰返し）させて予告してもよい。これにより、Ｍ点灯からＬ点灯に光量が小さくなったことに気づかない場合でも、点滅であれば確実に５秒後に消灯することを使用者に知らせる（予告する）ことができる。
【０１１７】
（４）  本実施形態では、第１の人体検知センサ７によりトイレ室１０に入室した使用者を検知し、第２の人体検知センサ８により衛生洗浄装置１の前方近傍にいる使用者を検知したが、これに限らず、第２の人体検知センサ８のみを設けるものであってもよい。この場合、図７のＳ１において、衛生洗浄装置１の前方近傍にいる使用者が第２の人体検知センサ８により検知されると、Ｓ１からＳ２に移行し、また、Ｓ４において、衛生洗浄装置１の前方近傍にいる使用者が第２の人体検知センサ８により検知されると、Ｓ４からＳ２に移行する。そして、また、Ｓ４において、衛生洗浄装置１の前方近傍にいる使用者が第２の人体検知センサ８により５秒間検知されない場合には、Ｓ４からＳ1に移行することとなる。
【０１１８】
これにより、第２の人体検知センサ８により衛生洗浄装置１の前方近傍にいる人が検知されたときに、照明装置６が点灯されるので、使用者は、夜間に衛生洗浄装置１を使用するときでも、手動で照明装置６を点灯させることなく、衛生洗浄装置１の位置を認識し、衛生洗浄装置１を使用することができる。特に、第２の人体検知センサ８により衛生洗浄装置１の前方近傍にいる人が検知されたときに、光量が大きくない照明が点灯されるので、たとえば、使用者が夜間衛生洗浄装置１の前方に立ったとき（男子小用時など）でも、まぶしさが感じられず、覚醒することもない。さらに、使用者が便座４に着座しているときには、照明装置６が便座４に着座している使用者の背後に位置することとなるので、照明装置６の光が目に入ることなく、使用者は覚醒することもない。しかも、着座検知センサ９により便座４への着座が検知されたときには、照明装置６の光量が大きくされるので、使用者は、着座しているときに、便器２横のトイレ室１０壁面に設置されているリモコン装置２０の操作ボタン２１を認識でき、確実に操作ボタン２１を操作することができる。
【０１１９】
また、第１の人体検知センサ７のみを設けるものであってもよい。この場合、図７のＳ１において、トイレ室１０に入室した使用者が第１の人体検知センサ７により検知されると、Ｓ１からＳ２に移行し、また、Ｓ２において、トイレ室１０に入室した使用者が第１の人体検知センサ７により検知されない場合には、Ｓ２からＳ４に移行する（図７のＳ３を削除）。そして、また、Ｓ４において、トイレ室１０に入室した使用者が第１の人体検知センサ７により検知されると、Ｓ４からＳ２に移行し、また、Ｓ４において、トイレ室１０に入室した使用者が第１の人体検知センサ７により５秒間検知されない場合には、Ｓ４からＳ1に移行することとなる。
【０１２０】
これにより、第１の人体検知センサ7によりトイレ室１０に入室した人が検知されたときに、照明装置６が点灯されるので、使用者は、夜間にトイレ室１０内を使用するときでも、手動で照明装置６を点灯させることなく、トイレ室１０内を使用することができる。特に、第１の人体検知センサ7によりトイレ室１０に入室した人が検知されたときに、光量が大きくない照明が点灯されるので、使用者が夜間トイレ室１０内を使用するときでも、まぶしさが感じられず、覚醒することもない。さらに、使用者が便座４に着座しているときには、照明装置６が便座４に着座している使用者の背後に位置することとなるので、照明装置６の光が目に入ることなく、使用者は覚醒することもない。しかも、着座検知センサ９により便座４への着座が検知されたときには、照明装置６の光量が大きくされるので、使用者は、着座しているときに、便器２横のトイレ室１０壁面に設置されているリモコン装置２０の操作ボタン２１を認識でき、確実に操作ボタン２１を操作することができる。
【０１２１】
また、第１の人体検知センサ７と第２の人体検知センサ８のいずれも有しないものであってもよい。この場合、図７のＳ１において、使用者の便座４への着座を着座検知センサ９により検知されると、Ｓ１からＳ５に移行し、また、Ｓ５において、使用者の便座４への着座が着座検知センサ９により検知されない場合には、Ｓ５からＳ１に移行する（図７のＳ２からＳ４を削除）。この場合においても、着座検知センサ９により便座４への着座が検知されたときには、照明装置６の光量が大きくされるので、使用者は、着座しているときに、便器２横のトイレ室１０壁面に設置されているリモコン装置２０の操作ボタン２１を認識でき、確実に操作ボタン２１を操作することができる。
【０１２２】
（５）  また、Ｓ３（Ｌ点灯状態）からＳ４（消灯待ち状態）に移行する時間、Ｓ４（消灯待ち状態）からＳ１（待機状態）に移行する時間を、それぞれ衛生洗浄装置を設置した環境や使用者の状態によって変更可能な、点灯状態遷移時間調節スイッチを設けてもよい。点灯状態遷移時間調節スイッチは、例えば、リモコン２０のスイッチを特殊操作して設定可能にすることができる。
【０１２３】
（６）  本実施形態では、オート開閉モードが「入」状態の場合について説明したが、これに限らず、待機状態（図７のＳ１）において、オート開閉モードが「切」状態で、衛生洗浄装置１の便蓋５が開放している場合についても適用される。
【図面の簡単な説明】
【０１２４】
【図１】本発明の一実施形態における衛生洗浄装置が設置されているトイレ室内を示す外観斜視図である。
【図２】（ａ）  便蓋および便座のいずれもが閉止状態である衛生洗浄装置の外観斜視図である。（ｂ）  便蓋が開放状態で便座が閉止状態である衛生洗浄装置の外観斜視図である。（ｃ）  便蓋および便座のいずれもが開放状態である衛生洗浄装置の外観斜視図である。
【図３】図２に示す照明装置近傍の縦断面図である。
【図４】図２に示す照明装置の分解構成図である。
【図５】図３に示すＡ−Ａ断面の断面図である。
【図６】本発明の一実施形態における衛生洗浄装置の電気的構成を示すブロック図である。
【図７】図２に示す照明装置の切換動作の状態遷移図である。
【図８】トイレ室に入室した後に、使用者が便座に着座する場合の照明装置の状態を示すタイムチャートである。
【図９】トイレ室に入室した後に、使用者が便座に着座することなく使用（男子小便時）する場合の照明装置の状態を示すタイムチャートである。
【図１０】衛生洗浄装置の使用後に、９０秒を超えてトイレ室にいる場合の照明装置の状態を示すタイムチャートである。
【図１１】衛生洗浄装置の使用後に、便蓋を手動で閉止した場合の照明装置の状態を示すタイムチャートである。
【符号の説明】
【０１２５】
１  衛生洗浄装置
３  ケーシング
４  便座
５  便蓋
６  照明装置
７  第１の人体検知センサ（人体検知センサ）
８  第２の人体検知センサ（人体検知センサ）
９  着座検知センサ
１０  トイレ室
１４  便座回転軸
１５  便蓋回転軸
２０  リモコン装置
３０  制御装置（制御手段）
【図２】
2007321387.tif 000003
【図３】
2007321387.tif 000004
【図４】
2007321387.tif 000005
【図５】
2007321387.tif 000006
【図６】
2007321387.tif 000007
【図７】
2007321387.tif 000008
【図８】
2007321387.tif 000009
【図９】
2007321387.tif 000010
【図１０】
2007321387.tif 000011
【図１１】
2007321387.tif 000012
【図１】
2007321387.tif 000013